(57)【要約】【課題】筒状部の屈曲性が悪いという問題を解消して履き心地を良好に保って且つ通気性向上を図った長靴を提供する。【解決手段】足先部全体を収容する足甲部２とすね部を収容する筒状部３とを有する長靴１であって、前記筒状部３及び前記足甲部２の内面に溝状に連続して設けられた通気溝１１〜１４を少なくとも１本有し、該通気溝は、前記筒状部３の左右の何れか一方で且つ前後何れか一方の上端部から前記足甲部２を経由して当該筒状部３の前記左右の他方で且つ前記前後何れか一方の上端部まで連続して設けられている。【選択図】  図１
2015013090.tif 000002
【特許請求の範囲】
【請求項１】
足先部全体を収容する足甲部とすね部を収容する筒状部とを有する長靴であって、
前記筒状部及び前記足甲部の内面に溝状に連続して設けられた通気溝を少なくとも１本有し、
該通気溝は、前記筒状部の左右の何れか一方で且つ前後何れか一方の上端部から前記足甲部を経由して当該筒状部の前記左右の他方で且つ前記前後何れか一方の上端部まで連続して設けられている
ことを特徴とする長靴。
【請求項２】
前記通気溝は、すね部の左右側の中央部及びくるぶし部を避けるように屈曲して設けられていることを特徴とする請求項１記載の長靴。
【請求項３】
前記通気溝は、上方に開放されるように前記筒状部の上端部まで設けられていることを特徴とする請求項１又は２記載の長靴。
【請求項４】
前記通気溝は、前記前後のそれぞれに少なくとも１本ずつ設けられていることを特徴とする請求項１〜３の何れか一項に記載の長靴。
【請求項５】
前記通気溝は、前記足甲部の下面では土踏まずに対応する領域に設けられていることを特徴とする請求項１〜４の何れか一項に記載の長靴。
【請求項６】
インジェクション成形により形成されたものであることを特徴とする請求項１〜５の何れか一項に記載の長靴。
【発明の詳細な説明】
【技術分野】
【０００１】
本発明は、通気性を向上させて蒸れ問題を解決した長靴に関する。
【背景技術】
【０００２】
長靴は厨房、工場など様々な目的で使用されている。従来一般的に使用されている長靴として、ゴム、軟質ポリ塩化ビニル（ＰＶＣ）を素材としたものが知られており、通気性が悪く、足蒸れの問題があった。
【０００３】
このような足蒸れの問題を解消する長靴として、防水性材料からなる長靴本体の内側のかかと部の上部や内側の後部の上部に、抜け防止用突部を設けた長靴が提案されている（特許文献１参照）。
【０００４】
かかる構造では、突条がひだ状に内面から突出しているので、擦れ等の問題があり、また、蒸れ防止としての効果は不十分である。
【０００５】
また、筒状胴部本体の内周面全周に渡って上下方向に延びる多数条の縦溝状通気路を形成し、これを孔隠し突片で盲状に覆った見隠れ構造としたものが提案されている（特許文献２参照）。さらに、長靴の上方に開口し靴の外層と内層の間を通り下方に向かって延びる通気孔を形成し、該通気孔の下方部を上記内層を通って靴内部へ連通させた長靴が提案されている（特許文献３参照）。
【０００６】
このような構造では、長靴の内周面は平らであるが、製造に煩雑な工程を有し、手間がかかりコスト高になるという問題がある。また、筒の部分が二重構造になるので、屈曲性が悪く、履き心地が悪い等の問題がある。さらに、通気構造が主に筒状部に設けられているだけなので、通気性の面で不十分であるという問題がある。
【先行技術文献】
【特許文献】
【０００７】
【特許文献１】特開２０００−２２９００１号公報
【特許文献２】特開２００３−  ２４１０７号公報
【特許文献３】特開２００１−１６１４０１号公報
【発明の概要】
【発明が解決しようとする課題】
【０００８】
上述した通り、従来、長靴の内周面は平らにして履き心地を良好にするため、長靴の筒状部を二重構造にして通気孔を設け、通気性の向上を図るものが検討されてきたが、二重構造のため、筒状部の屈曲性が悪いという問題があった。また、特に長時間着用していると、足が蒸れてしまうため、通気性の問題解消の点でも不十分であった。
【０００９】
そこで、本発明は、筒状部の屈曲性が悪いという問題を解消して履き心地を良好に保って且つ通気性向上を図った長靴を提供することを目的とする。
【課題を解決するための手段】
【００１０】
前記目的を達成する本発明の第１の態様は、足先部全体を収容する足甲部とすね部を収容する筒状部とを有する長靴であって、前記筒状部及び前記足甲部の内面に溝状に連続して設けられた通気溝を少なくとも１本有し、該通気溝は、前記筒状部の左右の何れか一方で且つ前後何れか一方の上端部から前記足甲部を経由して当該筒状部の前記左右の他方で且つ前記前後何れか一方の上端部まで連続して設けられていることを特徴とする長靴にある。
【００１１】
かかる態様では、内面に溝状に形成された通気溝が筒状部の左右一方の上部から左右他方の上部まで連続するように設けられているので、左右一方から左右他方までの通気が確保され、通気性が良好で長時間履いても蒸れて不快になることがなく、構造が単純であるため製造工程も単純である。
【００１２】
ここで、前記通気溝は、すね部の左右側の中央部及びくるぶし部を避けるように屈曲して設けられているのが好ましい。
【００１３】
これによれば、通気溝がすね部の左右側の中央部や前後側及びくるぶし部を避けるように設けられているので、歩行などの邪魔にはならず、履き心地の面でも問題がない。
【００１４】
ここで、前記通気溝は、上方に開放されるように前記筒状部の上端部まで設けられているのが好ましい。
【００１５】
これによれば、通気溝の筒状部の上端部まで上方に開放されるように設けられているので、筒状部の通気溝がすね部に密着しても、端部の開放部から通気性が確実に確保される。
【００１６】
また、前記通気溝は、前記前後のそれぞれに少なくとも１本ずつ設けられているのが好ましい。
【００１７】
これによれば、前側と後側の通気性が確実に確保される。
【００１８】
また、前記通気溝は、前記足甲部の下面では土踏まずに対応する領域に設けられていることが好ましい。
【００１９】
これによれば、足裏に違和感を感じさせることなく、左右を連通する通気溝による通気性を確保することができる。
【００２０】
また、インジェクション成形により形成されたものであるのが好ましい。
【００２１】
インジェクション成形により通気溝を一体的に形成できるので、低コストでの製造が可能である。
【発明の効果】
【００２２】
本発明によれば、長靴の内面に溝状に形成された通気溝が筒状部の左右一方の上部から左右他方の上部まで連続するように設けられているので、左右一方から左右他方までの通気が確保され、通気性が良好で長時間履いても蒸れて不快になることがなく、また、すね部の左右側の中央部や前後側及びくるぶし部を避けるように設けられているので、歩行などの邪魔にはならず、履き心地の面でも問題がなく、構造が単純であるため製造工程も単純であるので、低コストでの製造が可能である。
【図面の簡単な説明】
【００２３】
【図１】本発明の実施形態に係る長靴の正面図及び側面図である。
【図２】本発明の実施形態に係る長靴の上面図である。
【図３】本発明の実施形態に係る長靴の靴底の平面図及び断面図である。
【図４】試験例２の説明をするための断面図である。
【図５】試験例２の結果を示すグラフである。
【発明を実施するための形態】
【００２４】
以下、本発明の実施形態を図面を参照して説明する。
【００２５】
（実施形態１）
図１（ａ）及び（ｂ）は、本発明に係る長靴の正面図及び側面図、図２は、上面図、図３（ａ）及び（ｂ）は、靴底の上面図及び断面図である。
【００２６】
これらの図面に示すように、長靴１は、厨房、食品加工工場、その他の工場等で使用される一般的な外観形状の長靴であって、足先部全体を収容する足甲部２と、すね部を収容する筒状部３とから構成されたアッパー部４と当該アッパー部４の底面に設けられた靴底５から構成されたものである。なお、ここでは、すね部のほぼ全体を収納する筒状部を有する長尺の長靴を例示したが、くるぶし部及びすね部の下部を収納する短い筒状部を有する短尺の長靴でもよく、これは本発明の長靴に包含される。
【００２７】
また、長靴１は、耐水性、耐油性を備えた長靴であって、アッパー部４および靴底５は、例えば、軟質ポリ塩化ビニル（ＰＶＣ）によって形成されている。長靴１は、金型を用いた射出成形によって形成されており、アッパー部４の外側面は鏡面的に磨かれた成型金型の内面によって光沢面を有するように形成されている。アッパー部４の外観形状は一般的な長靴と同様であり、概ね足の形状に即した立体形状になっている。すなわち、足甲部２については先端部が細く形成されるとともに、後方に向けて次第に幅が膨らみつつ拇指球付近で膨らみが最大となり、土踏まず付近にかけてやや膨らみが減り、踵部に向かって再び膨らみが増加するような形状に形成されている。また、筒状部３は、足首付近がやや細く、ふくらはぎ付近で膨らみが最大となるような形状に形成されている。
【００２８】
上述した長靴１の筒状部３及び足甲部２の内面には、計４本の通気溝１１〜１４が形成されている。
【００２９】
通気溝１１、１２は、筒状部３の側面の前方、隅部近傍に設けられ、筒状部３の左右一方側の上端部から下方にほぼ直線状に延び、足甲部２及び靴底５の内面を経由して、筒状部３の左右他方側の下部から上端部まで連続的に形成されている。また、通気溝１３、１４は、筒状部３の側面の後方、隅部近傍に設けられ、筒状部３の左右一方側の上端部から下方に延び、足甲部２の側面で前方に屈曲して靴底５の内面を経由して、筒状部３の左右他方側の下部から上端部まで連続的に形成されている。
【００３０】
ここで、通気溝１１〜１４は、内方に向かって開放されている溝であり、筒状部３の側面の中央部３ａ及び足甲部２の側面のくるぶしに当たるくるぶし部２ａを避けて形成されている。また、筒状部３の前後側には設けられていない。これは、足のすね部との擦れが生じ易い前後面並びに側面の中央部に対向する領域を避けて通気溝１１〜１４を設けることにより、擦れによる不快感を皆無にし、通気溝１１〜１４を有効に機能させるものである。
【００３１】
また、このような観点からは、靴底５の踵や指の付け根部分に対向する領域に通気溝１１〜１４を設けるのは好ましくなく、本実施形態のように、靴底５の足の土踏まずに対向する土踏まず部５ａに形成するものが好ましい。これは通気溝１１〜１４による違和感を感じさせず、また、蒸れが発生し易く、空間が生じ易い土踏まず部５ａの上部の通気性を良好にすることができる。さらに、土踏まず部５ａに通気溝１１〜１４を設けた場合、例えば、スポンジ状の中敷きを用いた場合にも、通気溝１１〜１４が塞がれることがなく、通気性を確保することができる。
【００３２】
このように、通気溝１１〜１４は、足と接触しやすい箇所を避けて、また、突出部を形成されるのではなく、内面に凹部となる溝を設けることにより形成されているので、通気溝１１〜１４を通気のために確実に機能させることができる。また、通気溝１１〜１４の両端部は、筒状部３の上端部まで伸び、通気溝１１〜１４の両端部は筒状部３の上端部の上方に開放するように形成されている。これにより、通気溝１１〜１４の上の部分が足のすね部に密着しても、通気性を確実に確保することができる。
【００３３】
また、通気溝１１〜１４は、足と接触して不快感を生じ易い場所を避けて、左右側面の前部及び後部に設けられているので、足との擦れもなくなり、これによる不快感が発生することもない。
【００３４】
さらに通気溝１１〜１４は、筒状部３の左右側面の一方側から他方側に連続的に設けられているので、通気性を確実に且つ効率的に機能させることができる。
【００３５】
また、通気溝１１〜１４は、筒状部３の左右側面の一方側から他方側に連続的に設けられているだけで、従来技術にあるように二重構造を有しているものでもないので、筒状部３の屈曲性を低減させることもなく、履き心地を良好に保つことができる。
【００３６】
また、通気溝１１〜１４を、筒状部３の左右側面の前部及び後部の隅部又はその近傍に設けているので、通気溝１１〜１４を設けた部分の厚みが薄くなり、他の部分と比較して柔らかくなるので、筒状部３の形状が円形よりも箱形になりやすく、筒状部３の変形が低減するという利点もある。
【００３７】
通気溝１１〜１４の深さは、通気性を確実に確保するためには、筒状部３の肉厚の１／４〜１／２程度に形成するのが好ましく、溝幅は、肉厚と同程度〜５倍程度、好ましくは２〜４倍程度とするのが好ましい。なお、通気溝１１〜１４の深さは、最低でも０．５ｍｍ程度あれば、通気性が十分に確保できることが確認されている。
【００３８】
また、通気溝１１〜１４の深さや幅は、インジェクション成形で形成する場合には、材料の流れに影響を与えるので、この観点を考慮して設計する必要があるが、筒状部３の厚みの１／４〜１／２程度、溝幅が厚みの２倍〜４倍程度であれば、材料の流動性に影響を与えずに、良好にインジェクション成形できることが確認されている。
【００３９】
因みに、本実施形態では、筒状部３の厚さが２．０ｍｍであるところ、通気溝１１〜１４の深さを０．５ｍｍ、幅を４ｍｍとしている。
【００４０】
なお、通気溝１１〜１４の横断面形状は、図示するような矩形でも、台形でもよく、または円形、楕円形状でもよい。
【００４１】
さらに、通気溝の数は特に限定されず、少なくとも前部又は後部に１本あればよいが、前部及び後部にそれぞれ少なくとも１本あるのが好ましく前部及び後部にそれぞれ２本〜４本あるのがさらに好ましい。
【００４２】
（試験例１）
上述した実施形態の長靴の通気性を、通気溝１１〜１４を設けない以外は上述した実施形態と同様な長靴（市販のワークエース：ミドリ安全（株）製）と比較した。
【００４３】
試験は、左足を実施形態の長靴とし、右足を通気溝なしの比較例の長靴とし、下記の手順で試験を行った。
【００４４】
被験者は２１名で、試履き前に靴を脱いで１０分間いすに座ってもらい、その後、上述した試験用長靴を履いて１５分程度歩行を含めた通常作業を行ってもらい、その後、左右の蒸れ状態を評価してもらう、という手順で行った。
【００４５】
被験者２１名全てが、実施形態の長靴である左足の方が蒸れないという判定であった。また、歩行などの足の動作が多かった被験者の方が実施形態の長靴である左足での快適性が優れていることがわかった。
【００４６】
（試験例２）
上述した実施形態の長靴の通気性を、通気溝１１〜１４を設けない以外は上述した実施形態と同様な長靴（市販のワークエース：ミドリ安全（株）製）とを用い、左足を実施形態の長靴とし、右足を通気溝なしの比較例の長靴とし、両方の長靴の筒状部の下端前側に、図４に示すような温湿度センサー５１を取り付け、温湿度測定器５２と接続した。そして、被験者が両方の長靴を装着し、所定の動作を行い、その際の温湿度センサー５１及び温湿度測定器５２で計測した結果を図５に示す。
【００４７】
図５に示すように、動作は、履き始め６１から静止状態６２を継続し、途中で足パタ６３を行って、静止状態６２をトータル１５分間継続した後、一度長靴を脱ぎ履き６４を行い、その後、静止状態及び軽い動き６５を１５分間継続し、その後、脱ぎ履き６６を行い、その後、歩行状態６７を１０分間継続した。
【００４８】
ここで、「静止状態」は、立った状態であり、「足パタ」とは、立って足を地面に付けたまま膝を左右に動かす動作であり、「静止状態及び軽い動き」は立った状態で左右交互に体重をかける（左右交互に片足を少し上げる）動作である。
【００４９】
この結果、温度は、左右でほとんど差がなかったが、湿度は、常に、実施形態の長靴を装着した左足の方が、比較例の右足と比較して低かった。なお、歩行状態では、測定データがばらついて一定にはならない結果となった。
また、被験者の履いた感じでも、実施形態の長靴を履いた左足の方がよいと判断できた。
【符号の説明】
【００５０】
１  長靴
２  足甲部
３  筒状部
４  アッパー部
５  靴底
１１〜１４  通気溝
５１  温湿度センサー
５２  温湿度測定器
【図１】
2015013090.tif 000003
【図２】
2015013090.tif 000004
【図３】
2015013090.tif 000005
【図４】
2015013090.tif 000006
【図５】
2015013090.tif 000007